(57)【要約】【課題】カートリッジは高いエネルギーのマグネットを使用しているために発電部材が帯磁して音質に悪い影響を及ぼす、又ヘッドシェルの収納BOXの収納性を改善した物である。【解決手段】 テープレコーダーのヘッド等、磁化した物を消磁する事は、公知の事実であるが、今回の開発にあたりヘッドシェル単体とアナログプレーヤーのフォノケーブルからも消磁出来る接続端子を設けたものである、又ヘッドシェルの収納に関してBOXの蓋にトルクヒンジ、鍵付の錠前、データーを記載出来る台紙、本体の一部を小道具入れスペース、ヘッドシェルに角度を付けて収納出来る様にヘッドシェル挿入するスリーブを装備したカートリッジ収納BOX。 【選択図】    図３
0003138819.tif 000002
【実用新案登録請求の範囲】
【請求項１】
アナログ用レコードプレーヤーのレコード再生に使用するカートリッジを消磁する機器に於いて、カートリッジ付きヘッドシェル単体で接続して消磁する機能と、レコードプレーヤーのフォノケーブル端子を接続してカートリッジ消磁する機能を合わせ持つことを特長とする。
【請求項２】
カートリッジ収納BOXに於いて、BOX本体と蓋を備えた開閉にヒンジを使用するモデルに於いて、適度のトルクを持つヒンジで蓋の開閉時の衝撃を和らげる構造にする。又その一角に請求項1に記載の消磁機器を合わせ持つことを特長とするカートリッジ収納BOX。
【請求項３】
カートリッジ収納BOXでBOX本体と蓋を備えた収納BOXに於いて、他人の勝手な持ち出し等により大切なカートリッジの針先を損傷する恐れがある為に鍵付の錠前を装備したカートリッジ収納BOX。又カートリッジの（データー）性能を記載出来る用紙を装備した請求項2に記載のカートリッジ収納BOX。
【請求項４】
カートリッジ収納BOXに於いて本体の一部に小道具入れスペースを装備し又収納ヘッドシェルをガイドするスリーブに角度をつけて加工し図３の様に（5）角度をつけてヘッドシェルを収納するスタンドスリーブを装備した請求項2に記載のカートリッジ収納BOX。
【考案の詳細な説明】
【技術分野】
【０００１】
図８の（22）アナログレコードプレーヤーのハイエンド仕様の（25）カートリッジは、高価であり、特に針先部分はデリケートで取り扱いによっては音質に関わる大切な所である、こんな大切なカートリッジを保管する図1の（0）ヘッドシェル収納BOXに係わる分野と、オーディオアクセサリー機器としてのカートリッジの音質改善機器でカートリッジの図7の（18）消磁機器に関する分野である、
【背景技術】
【０００２】
図9の（26）カートリッジの構造により消磁の必要性を説く、高エネルギーの（31）マグネットを使用している為に長時間使用していると（30）発電用コイル等内部部材が磁気を帯びてしまい正確な発電が出来なくなり、レコード再生に於いて音質的に透明度が落ち濁った音になる。この帯磁を取る消磁機器は既に市販されている。消磁方式は図７の（18）消磁器と同様で図４の（13）消磁用電子回路基板により高い周波数の交流電圧を徐々に下げる事による消磁方法で既に公知の一般的な方式である。この（18）消磁器は接続部分が１個しかなくて不便な部分がある又（0）ヘッドシェル収納BOXに関しては図6の従来のヘッドシェルスタンドは（16）ヘッドシェルスタンドスリーブに差込み（17）シェルスタンドに収納状態の様に単に収納するだけであった使用に際して便利で複合的な機能を持ったものが望まれていた。
【考案の開示】
【考案が解決しようとする課題】
【０００３】
アナログカートリッジの消磁の必要性は背景技術でも記述しているが、図7の（18）消磁器ではオーディオセットの近くに（18）消磁器を持って行き図8の（22）アナログレコードプレーヤーの（23）フォノケーブルの端子をセット移動して取り出し図7の（21）コネクター端子に接続して（20）-1の電源スィツチをONにして（20）-2消磁スィツチで消磁していた。オーディオセットを移動する事は非常に面倒であった、セットを移動することなくヘッドシェル単体で消磁できる方法が望まれていた又（0）カートリッジ収納BOXに於いては、オーディオマニアに必須の精密ドライバー、ピンセット、ルーペ（拡大鏡）、針先清掃ブラシ、小型のレコードクリーナー等を（7）小道具入れのスペースをヘッドシェル収納BOXに設けた複合機能を持った製品が望まれていた。
【課題を解決するための手段】
【０００４】
カートリッジの消磁機器に関して、図  ３の（6）消磁用ヘッドシェル固定スタンドにヘッドシェルを取り付け内臓の（24）電池で駆動する（13）消磁用電子回路基板より発振する交流周波数で背景技術の（002）で記載した同様の方式で消磁する。消磁動作として（9）-1電源スィツチをONにすると（10）-1、（10）-2のLED表示ランプが点灯し消磁のスタンバイ状態になる（9）-2の消磁スィツチをONにすることにより（10）-2のLED表示ランプが点滅し数十秒後に点滅が止まり消磁完了となるこの方法だとオーディオセットを移動する事無く消磁出切る又最悪レコードプレーヤーのヘッドシェルが外れないタイプのもでも使用出来るように図３の（8）コネクター端子に図8の（23）フォノケーブル端子を接続すれば同様な操作で消磁できる、この様に（6）消磁用ヘッドシェル固定スタンドでヘッドシェル単体を消磁出来る機能とレコードプレーヤーの（23）フォノケーブル端子を本機の（8）コネクター端子に接続して消磁する機能を合わせ持つ機器を開発、又（0）ヘッドシェル収納BOXに関してはBOXの一角に図4の消磁機能部を設け、又（7）小道具入れのスペース等を設け利便性をあげる。
【考案の効果】
【０００５】
図7の（18）消磁器はカートリッジの消磁をするに図８の（22）アナログレコードプレーヤーの（23）フォノケーブル端子をアンプより取り外しオーディオセットを移動し（21）のコネクター端子に接続して（20）-1電源スィツチをONにして（20）-2消磁スィツチONにしてカートリッジの消磁を行っていた、今回開発の消磁器は3図の（6）消磁用ヘッドシェル固定スタンドに図4の（12）消磁中のヘッドシェルの様に取り付ければ図8の（22）アナログレコードプレーヤーは現在の使用中のセットより移動することなく消磁できる又プレーヤーのヘッドシェルが外せないタイプの物もあり、この場合は図4の（8）コネクター端子に図８の（23）フォノケーブル端子を接続すれば同様の効果が発揮できる。
【０００６】
図1の（1）ヘッドシェル収納BOX蓋と（2）ヘッドシェル収納BOX本体に使用の（34）トルクヒンジは適度なトルクを持つヒンジを使用する事により図5の（1）-1〜4の様にヘッドシェル収納BOX蓋を閉めるとき（12）消磁中のヘッドシェルに蓋の位置（1）-4、（１）-３、（１）-2、（１）-１の動作でもどの位置でも（34）トルクヒンジにより蓋の自重で落下することなく又（12）消磁中のヘッドシェルを損傷する事なく蓋を閉める時の事故を防ぐことが出来る又（12）消磁中のヘッドシェルが無くても（5）角度を付けてヘッドシェルを収納している物があつた場合でも蓋を閉める衝撃はトルクヒンジを使用する事により和らげることが出来て収納カートリッジの損傷を防ぐ事が出来る。
【０００７】
図1の（1）ヘッドシェル収納BOX蓋（2）ヘッドシェル収納BOX本体に於いて（11）の鍵付の錠前を設備する事により高価なカートリッジの針先を他人の持ち出し等による針先の損傷を保護できる。又図3の（4）ヘッドシェルを挿入スリーブ各々に相対する位置に（3）データー表示又（3）-1データー表示（拡大図）による、モデル名、型式、適正針圧、など性能を記載してあると、古いカートリッジでもレコード演奏時にヘッドシェルを交換して演奏する場合、針圧調整など非常に便利である。
【０００８】
図3の（７）小道具入れスペースを（２）ヘッドシェル収納BOX本体の一部に設けカートリッジの交換などに必要な精密ドライバー、針先を拡大して見るルーペ、小ネジ、ナット、等が収納できる、又図6は従来の収納ケース（15）-1のケース本体（15）-2透明ケースに代表されるものが全てであつた又ヘッドシェルも（16）のヘッドシェルスリーブで（17）シェルスタンドに収納されている様に垂直になっており装置バランスが悪いために図3の（５）角度をつけてヘッドシェルを収納できるように加工し又前列と後列が重ならないようにずれた位置に（4）ヘッドシェルのスリーブ穴を加工して（2）ヘッドシェル収納BOX本体に収納すれば（1）ヘッドシェル収納BOX蓋を開けた時にオーナーがレコードのジャンルなどでお気に入りのカートリッジを探すとき直ぐに判別できる。
【図面の簡単な説明】
【０００９】
【図１】請求項に係わる鍵付錠前図面
【図２】請求項に係わるトルクヒンジ付きヘッドシェル収納BOX
【図３】請求項に係わるデーター表示、小道具入れ、消磁機能を有したヘッドシェル収納BOX
【図４】請求項に係わる消磁機能部分（一部内部図）
【図５】請求項に係わる蓋の動作角を表す図面
【図６】従来のヘッドシェル収納ケース
【図７】従来の消磁機器
【図８】レコードプレーヤー
【図９】カートリッジの構造
【符号の説明】
【００１０】
0） ヘッドシェル収納BOX
1） ヘッドシェル収納BOX蓋
1）-1蓋の動作角度
1）-2蓋の動作角度
1）-3蓋の動作角度
1）-4蓋の動作角度
2） ヘッドシェル収納BOX本体
3） データー表示（台紙）
3）-1データー表示（拡大図）
4） ヘッドシェルを挿入するスリーブ（穴）
5） 角度を付けてヘッドシェルを収納
6） 消磁用ヘッドシェル固定スタンド
7） 小道具入れスペース
8） コネクター端子（RCA端子）
9）-1電源スィツチ
9）-2消磁スィツチ
10）-1LED表示ランプ
10）-2LED表示ランプ
11） 鍵付の錠前
12） 消磁中のヘッドシェル
13） 消磁用電子回路基板
14） 従来の収納ケース
15）-1ケース本体
15）-2透明ケース
16） ヘッドシェルスタンドスリーブ
17） シェルスタンドに収納
18） 消磁器
19） LED表示ランプ
20）-1電源スィツチ
20）-2消磁スィツチ
21） コネクター端子（RCA端子）
22） アナログレコードプレーヤー
23） フォノケーブルの端子
24） 電地
25） トーンアームに搭載のカートリッジ
26） カートリッジ
27） ダンパー
28)  針先（チップ）
29)  振動子
30)  発電用コイル
31)  マグネット
32)  ターミナル
33)  カートリッジケース
34)  トルクヒンジ
【図１】
0003138819.tif 000003
【図２】
0003138819.tif 000004
【図３】
0003138819.tif 000005
【図４】
0003138819.tif 000006
【図５】
0003138819.tif 000007
【図６】
0003138819.tif 000008
【図７】
0003138819.tif 000009
【図８】
0003138819.tif 000010
【図９】
0003138819.tif 000011
【手続補正書】
【提出日】平成19年11月14日(2007.11.14)
【手続補正２】
【補正対象書類名】実用新案登録請求の範囲
【補正対象項目名】全文
【補正方法】変更
【補正の内容】
【実用新案登録請求の範囲】
【請求項１】
アナログ用レコードプレーヤーのレコード再生に使用するカートリッジを消磁する機器に於いて、消磁用ヘッドシェル固定スタンドにヘッドシェルを取付けシェル単体で消磁する手段とレコードプレーヤーのフォノケーブル端子を消磁器のコネクター端子に挿入して消磁する手段を合わせ持つ事を特徴とするカートリッジ消磁器。
【請求項２】
ヘッドシェル収納BOX本体とヘッドシェル収納BOX蓋を備えたヘッドシェル収納BOXで、本体と蓋の側面に蓋の自重で閉らない程度の適度のトルクを持つヒンジを設置したヘッドシェル収納BOXに請求項1に記載のカートリッジ消磁器を備えた事を特徴とするヘッドシェル収納BOX。
【請求項３】
ヘッドシェル収納BOX本体とヘッドシェル収納BOX蓋の側面にトルクヒンジを取付け、相対する反対の側面に鍵付錠前を取付けたヘッドシェル収納BOXに請求項２に記載のカートリッジ消磁器を備えた事を特徴とするヘッドシェル収納BOX。
【請求項４】
ヘッドシェル収納BOX蓋の内側にはカートリッジの性能を記入出来る台紙を装着したヘッドシェル収納BOXに請求項２記載のカートリッジ消磁器を備えた事を特徴とするヘッドシェル収納BOX。
【請求項５】
ヘッドシェル収納BOXに於いて、ヘッドシェル収納BOX本体の床部分にヘッドシェルを挿入するスリーブ穴を前列と後列の位置が重ならないように加工しその穴はヒンジ側に傾く様に角度をつけ加工したヘッドシェル収納BOXに請求項２に記載のカートリッジ消磁器を備えた事を特徴とするヘッドシェル収納BOX。
【請求項６】
ヘッドシェル収納BOX本体の一部を囲い小道具いれスペースを設けたヘッドシェル収納BOXに請求項２に記載のカートリッジ消磁器を備えた事を特徴とするヘッドシェル収納BOX。